(57)【要約】【課題】  隣接して配置される遊技台の台間に設けられて隣接する遊技者へのタバコの煙等の被害を低減するエアーカーテン形成装置であって、構造が簡便で安価に形成される遊技台における簡易台間エアーカーテン形成装置を提供する。【解決手段】  隣接する遊技台１０の隙間１１（台間）に収納される筐体１からなり、この筐体１には遠心ブロア２が収納される。遠心ブロア２によって吸気されて排出された空気は正面側を向いて筐体１に貫通形成されたスリット状開口部３から送風されて台間の仕切りとしてのエアーカーテンが形成される。【選択図】  図１
0003118324.tif 000002
【実用新案登録請求の範囲】
【請求項１】
隙間をあけて並設される複数の遊技台の前記隙間内に収納され隣接する遊技台との間を仕切る簡易エアーカーテン形成装置であって、該装置は、前記隙間内に収納される細長の中空筒体からなる筐体と、該筐体内に配置される単一の遠心ブロアとを有し、前記筐体には、前記遠心ブロアの吸気側に連通する開口部が形成されると共に筐体の正面側に長手方向に沿って送風口としての多数個のスリット状開口部が形成されることを特徴とする遊技台における簡易台間エアーカーテン形成装置。
【請求項２】
前記スリット状開口部は、前記遊技台使用時に用いられるコインが挿入できない形状及び大きさのものからなることを特徴とする請求項１に記載の遊技台における簡易台間エアーカーテン形成装置。
【請求項３】
前記スリット状開口部は、夫々が同一形状及び／又は異なる形状のものからなることを特徴とする請求項１又は２に記載の遊技台における簡易台間エアーカーテン形成装置。
【請求項４】
前記スリット状開口部の間隔が、同一及び／又は異なるものからなることを特徴とする請求項１乃至３のいずれかに記載の遊技台における簡易台間エアーカーテン形成装置。
【請求項５】
前記スリット状開口部が、遊技者に直接送風される部位において他の部位よりも疎に形成されることを特徴とする請求項１乃至４のいずれかに記載の遊技台における簡易台間エアーカーテン形成装置。
【請求項６】
前記スリット状開口部の全部又は一部には、その開口面積を調整する開口面積調整機構部が付設されることを特徴とする請求項１乃至５のいずれかに記載の遊技台における簡易台間エアーカーテン形成装置。
【請求項７】
前記筐体の正面側が、塗装又は装飾処理されるものからなることを特徴とする請求項１乃至６のいずれかに記載の遊技台における簡易台間エアーカーテン形成装置。
【請求項８】
前記筐体の側面と前記遊技台の側板との間に微小隙間が形成されることを特徴とする請求項１乃至７のいずれかに記載の遊技台における簡易台間エアーカーテン形成装置。
【請求項９】
前記筐体内にはマイナスイオン発生装置が収納されることを特徴とする請求項１乃至８のいずれかに記載の遊技台における簡易台間エアーカーテン形成装置。
【請求項１０】
前記遠心ブロアには浄化用フィルタが付設されることを特徴とする請求項１乃至９のいずれかに記載の遊技台における簡易台間エアーカーテン形成装置。
【請求項１１】
前記請求項１乃至１０のいずれかに記載の遊技台における簡易台間エアーカーテン形成装置には、発煙や人感を検出するセンサや遊技者の喫煙を確認するセンサが付設され、これ等のセンサの検出信号により前記遠心ブロアを動作する制御機構部が設けられることを特徴とする遊技台における簡易台間エアーカーテン形成装置。
【考案の詳細な説明】
【技術分野】
【０００１】
本考案は、パチンコ台やパチスロ台等の遊技台に設置され、隣接している遊技台間を仕切ってタバコの煙等の往来による被害を低減すると共に遊技場の浄化にも機能し得る遊技台における簡易台間エアーカーテン形成装置に関する。
【背景技術】
【０００２】
パチンコ店等においては数多くの遊技台が隣接して並設され、遊技者は長時間遊技を楽しむのが一般である。パチンコ店等はかなり広い空間を有するものからなるが、多数の遊技者がプレーをするため、どうしても室内の空気等が汚れる。このため、パチンコ店等には浄化装置が必ず付設されて店内の清浄化を図るようにしている。
【０００３】
以上のように、パチンコ店等は浄化空間を保持すべく各種の対策が従来より行われているが、遊技者の中には喫煙者が必ずおり、この煙が隣接する遊技者に悪影響を与える。タバコの煙は喫煙者にとってはさほど気にならないが、タバコを吸わない人にとっては極めて不快のものである。また、タバコの煙そのものも人体にとって有害なものである。よって、少なくとも隣接する遊技者間におけるタバコの煙による被害を極力低減する手段が必要とされる。このため、従来から各種のタバコの煙の遮断手段（装置）があり、例えば「特許文献１」、「特許文献２」、「特許文献３」等が挙げられる。
【特許文献１】特開平８−２４７５２０号（図１）
【特許文献２】特開平９−７３２号（第２６２７４９５号）（図１）
【特許文献３】特開平１０−１１８３２７号（図２）
【考案の開示】
【考案が解決しようとする課題】
【０００４】
以上の「特許文献１」等は夫々特徴を有するものであるが、「特許文献１」や「特許文献２」はいずれもダクト配管工事が必要であり、装置の設置に時間と費用がかかり、高価なものとなる。また、一般にパチンコ店の入口に設けられているエアーカーテンにはクロスフローファンが用いられているが、これを遊技台の台間に設置すると極めて高価なものとなる。また、クロスフローファンは薄型にすることが構造的に困難であり、設置するには遊技台の台間の隙間が大となり、全体としての設備コストが大となる問題点があり、省スペース化にも逆行する。また、「特許文献３」は装置の筐体内部に多くの構造体があり、薄型で安価なエアーカータンを形成することができない。
【０００５】
本考案は、以上の事情に鑑みて考案されたものであり、ダクト配管工事や複雑な構造体を一切必要とせず、遊技者へのタバコの煙等による被害が低減され、快適な遊技ができ店内の浄化にも機能する遊技台における簡易台間エアーカーテン形成装置を提供することを目的とする。
【課題を解決するための手段】
【０００６】
本考案は、以上の目的を達成するために、請求項１の考案は、隙間をあけて並設される複数の遊技台の前記隙間内に収納され隣接する遊技台との間を仕切る簡易エアーカーテン形成装置であって、該装置は、前記隙間内に収納される細長の中空筒体からなる筐体と、該筐体内に配置される単一の遠心ブロアとを有し、前記筐体には、前記遠心ブロアの吸気側に連通する開口部が形成されると共に筐体の正面側に長手方向に沿って送風口としての多数個のスリット状開口部が形成されることを特徴とする。
【０００７】
また、請求項２の考案は、前記スリット状開口部は、前記遊技台使用時に用いられるコインが挿入できない形状及び大きさのものからなることを特徴とする。
【０００８】
また、請求項３の考案は、前記スリット状開口部は、夫々が同一形状及び／又は異なる形状のものからなることを特徴とする。
【０００９】
また、請求項４の考案は、前記スリット状開口部の間隔が、同一及び／又は異なるものからなることを特徴とする。
【００１０】
また、請求項５の考案は、前記スリット状開口部が、遊技者に直接送風される部位において他の部位よりも疎に形成されることを特徴とする。
【００１１】
また、請求項６の考案は、前記スリット状開口部の全部又は一部には、その開口面積を調整する開口面積調整機構部が付設されることを特徴とする。
【００１２】
また、請求項７の考案は、前記筐体の正面側が、塗装又は装飾処理されるものからなることを特徴とする。
【００１３】
また、請求項８の考案は、前記筐体の側面と前記遊技台の側板との間に微小隙間が形成されることを特徴とする。
【００１４】
また、請求項９の考案は、前記筐体内にはマイナスイオン発生装置が収納されることを特徴とする。
【００１５】
また、請求項１０の考案は、前記遠心ブロアには浄化用フィルタが付設されることを特徴とする。
【００１６】
また、請求項１１の考案は、前記請求項１乃至１０のいずれかに記載の遊技台における簡易台間エアーカーテン形成装置には、発煙や人感を検出するセンサや遊技者の喫煙を確認するセンサが付設され、これ等のセンサの検出信号により前記遠心ブロアを動作する制御機構部が設けられることを特徴とする。
【考案の効果】
【００１７】
本考案の請求項１の遊技台における簡易台間エアーカーテン形成装置によれば、筐体は内部に単一の遠心ブロアを収納する中空筒体からなり、装置構造としては簡便で安価に形成され、狭い隙間内に収納でき、省スペース化が図れ、台間の空気は遠心ブロアにより吸気され筐体の正面側のスリット状開口部から送風されるため、隣接する遊技台間が送風された空気の壁により仕切られ、エアーカーテンとして有効に機能することになる。
【００１８】
本考案の請求項２の遊技台における簡易台間エアーカーテン形成装置によれば、スリット状開口部はコインの挿入できない形状及び大きさのものからなるため、筐体内にコイン等が入り込む事故が確実に防止される。
【００１９】
本考案の請求項３の遊技台における簡易台間エアーカーテン形成装置によれば、スリット状開口部は同一の形状大きさのものに限定するものではなく、送風状態を任意に変えることができ、エアーカーテンを所望の位置に効果的に形成することができる。
【００２０】
本考案の請求項４及び５の遊技台における簡易台間エアーカーテン形成装置によれば、スリット状開口部の間隔を可変とし、例えば、遊技者の肘付近の送風量を低減し、肘等の冷えを低下することが可能となり、逆に、例えば、頭部付近に特に強く送風することが可能となる。
【００２１】
本考案の請求項６の遊技台における簡易台間エアーカーテン形成装置によれば、開口面積調整機構部を設けることにより必要な部分への送風量の加減が可能になる。
【００２２】
本考案の請求項７の遊技台における簡易台間エアーカーテン形成装置によれば、筐体正面側を塗装等により装飾することにより、遊技台との調和や全体の美感の向上を図ることができる。
【００２３】
本考案の請求項８の遊技台における簡易台間エアーカーテン形成装置によれば、筐体の吸気孔側の側面と遊技台の側面との間に隙間を形成することにより遠心ブロアへの吸気量を確保することができ、吸気抵抗の低減も図れる。
【００２４】
本考案の請求項９の遊技台における簡易台間エアーカーテン形成装置によれば、マイナスイオンを送風内に送ることができ、健康向上に貢献できる。
【００２５】
本考案の請求項１０の遊技台における簡易台間エアーカーテン形成装置によれば、遠心ブロアに浄化用フィルタを設けることにより送風の浄化が図れ、結果として室内の清浄化が図れる。
【００２６】
本考案の請求項１１の遊技台における簡易台間エアーカーテン形成装置によれば、送風を必要とする時間をコントロールでき省電力化が図れる。
【考案を実施するための最良の形態】
【００２７】
以下、本考案の遊技台における簡易台間エアーカーテン形成装置の実施の形態を図面を参照して詳述する。図１（ａ）は本考案の遊技台における簡易台間エアーカーテン形成装置１００の全体構造を示す斜視図であり、図１（ｂ）は付属部品の配置を示す模式構成図であり、図２は本考案の遊技台における簡易台間エアーカーテン形成装置１００を配置した遊技台を示す斜視図であり、図３は間隔の相異するスリット状開口部を有する筐体の正面図であり、図４，図５，図６，図７，図８は開口面積調整機構部の実施例を示す正面図及び部分拡大図であり、図９は別の実施例を示す斜視図である。
【実施例１】
【００２８】
図１（ａ）に示すように、本考案の遊技台における簡易台間エアーカーテン形成装置１００は例えば矩形断面の細長の中空筒体の筐体１と、この筐体１の図の下方に収納されている単一の遠心ブロア２とからなる。遠心ブロア２はクロスフローファンとは異なり単純な構造のものからなり、狭い筐体内に収納でき、コードのみにより外側と連結できる簡単なものからなる。なお、遠心ブロア２には吸気口２ａと排気口２ｂが設けられている。
【００２９】
筐体１は前記のように矩形断面の中空筒体からなるが、勿論、この形状に限定するものではなく、図２に示すように隣接する遊技台１０間の隙間１１内に収納できる形状の中空筒体であればよい。筐体１には図１（ａ）に示すように遠心ブロア２の吸気口２ａに連通する吸気孔４が形成されると共にその正面板１ａには多数個のスリット状開口部３が貫通形成されるものからなる。なお、このスリット状開口部３は本実施例では細長のグランド状のスリットからなるが、勿論これに限定するものではない。また、このスリット状開口部３は遊技台の使用時に使用されるコインが挿入できない形状，大きさのものからなり、これによって過ってコインが筐体１内に挿入されることがないようにしている。また、図１（ａ）のスリット状開口部３は同一の形状のものからなるが、勿論、夫々が異なるものや部分的に形状が相異するものでもよい。また、図３のグランド状丸印１２で示すように部分的に間隔を広げて配置されるものでもよい。なお、図３のグランド状丸印１２の部分は遊技者の肘に対応する位置にあるスリット状開口部３であり、肘に余分な送風がされずにその冷えを防止するように工夫したものである。勿論、図３の形態に限定するものではない。また、筐体１の正面板１ａには塗装や装飾処理が施されてもよく、これにより、遊技台１０とのバランスや全体としての美感の向上を図ることができる。
【００３０】
スリット状開口部３は前記のように形状や大きさ及び間隔を色々と工夫したものが採用されるが、この開口面積を調整する開口面積調整機構部５を付設するものでもよい。
図４乃至図８はその実施例を示すものであるが、勿論、これ等に限定するものではない。
図４はグランド状丸印１３にはその一例が示され、図５はその部分を拡大表示したものである。また、図６は別の形式のものを示す。また、図７及び図８も更に別の形式のものを示す。
【００３１】
図５に示すように、スリット状開口部３には開口面積の全体を閉止し得る大きさの板体１４とこれを手動で移動させるツマミ１５を設けたものからなる。図示ではこの閉状態と開状態が示されている。なお、図示のように板体１４はスリット状開口部３の表面側又は背面側のいずれの側に配置するものでもよい。
【００３２】
図６は図５のツマミ１５の替りにスベリ止め突起１６を設けたものであり、板体１４の移動時の安定化や確実化を図るようにしたものである。
【００３３】
図７及び図８は疎のスリット状開口部３の近傍に半円孔１７を形成し、この半円孔１７にツマミ１８で回転する開閉板１９を当接係合せしめて半円孔１７の開閉により開口面積を調整するようにしたものである。なお、図７はこのものを設けた筐体１を示し、図８は図７のグランド状丸印２０の部分の拡大図である。
【００３４】
開口面積調整機構部５は以上のようなものが一例として挙げられるが、勿論これに限定するものではなく、簡便に操作できるその他の構造のものが使用される。
【実施例２】
【００３５】
図９は本考案の遊技台における簡易台間エアーカーテン形成装置１００の別の実施例を示すものである。このものは正面板１ａに延長板２１を形成したものであり、筐体１はこの延長板２１の分だけ横にはみ出た形状のものからなる。なお、延長板２１は正面板１ａと同一平面のフラット部２１ａとこれから直角方向に後方に向かって曲げられた当接部２１ｂを形成するものからなる。前記のように遊技台における簡易台間エアーカーテン形成装置１００は遊技台１０の隙間１１内に収納されるが、図１（ａ）に示したものは隙間１１内にすっぽり収納されるものであり、収納時には遊技台１０と遊技台における簡易台間エアーカーテン形成装置１００との間には隙間がほとんどない。しかしながら、本実施例の場合には延長板２１の存在により、遊技台１０の側面に延長板２１の側板としての当接部２１ｂが当り、この分だけ遊技台１０と遊技台における簡易台間エアーカーテン形成装置１００との間に微小な隙間が形成される。従って、この隙間の分だけ遠心ブロア２の吸気が容易となり、吸気量の確保ができ吸気時の吸気抵抗が低減し、吸気効率を向上させることができる。
【実施例３】
【００３６】
図１（ｂ）は付属装置を収納した本考案の遊技台における簡易台間エアーカーテン形成装置１００を示す。図示のように、遠心ブロア２の吸気口２ａの部分には吸気を浄化するためのフィルタ７が設けられている。これにより、筐体１内に吸気される空気の清浄化が図られ、結果としてスリット状開口部３から浄化された空気が送風される。これにより遊技者及び店内に清浄化された空気が送出され、室内の浄化に貢献できる。
【００３７】
また、図示のように、筐体１内にはマイナスイオン発生装置６が収納され、送出空気のマイナスイオン化が図れ、遊技者の健康向上に寄与する。
【００３８】
以上の説明において遊技台における簡易台間エアーカーテン形成装置１００の遠心ブロア２の動作については特に説明していないが、遊技者がいない場合や喫煙者がいない場合には必ずしも遠心ブロア２を作動する必要はない。このため、図示のように遠心ブロア２の制御機構部８やセンサ９が付設される。このセンサ９は喫煙の有無や遊技者の存在等を検出するものであり、この検出信号により制御機構部８を介して遠心ブロア２を動作すればよく、必要時においてのみ遠心ブロア２の作動ができ全体としての省電力化を図ることができる。
【産業上の利用可能性】
【００３９】
本考案の遊技台における簡易台間エアーカーテン形成装置１００は、前記のようなパチンコ店やパチスロ店において主として使用されるが、遊技台としてはこれ等に限定するものではなくすべてのものに応用適用可能であり、その利用範囲は広い。
【図面の簡単な説明】
【００４０】
【図１】本考案の遊技台における簡易台間エアーカーテン形成装置の全体構造を示す斜視図（ａ）及び付属装置を伴った遊技台における簡易台間エアーカーテン形成装置を示す模式高製図（ｂ）。
【図２】本考案の遊技台における簡易台間エアーカーテン形成装置を配置した遊技台を示す斜視図。
【図３】スリット状開口部の間隔を変えた実施例の筐体を示す正面図。
【図４】開口面積調整機構部の一例を示す正面図。
【図５】図４におけるグランド状丸印の部分の拡大図。
【図６】図４におけるグランド状丸印の部分の別の実施例を示す拡大図。
【図７】開口面積調整機構部の他の例を示す正面図。
【図８】図７のグランド状丸印の部分の拡大図。
【図９】正面に延長板を設けた本考案の遊技台における簡易台間エアーカーテン形成装置を示す斜視図。
【符号の説明】
【００４１】
１      筐体
２      遠心ブロア
２ａ    吸気口
２ｂ    排気口
３      スリット状開口部
４      吸気孔
５      開口面積調整機構部
６      マイナスイオン発生装置
７      フィルタ
８      制御機構部
９      センサ
１０    遊技台
１１    隙間
１２    グランド状丸印
１３    グランド状丸印
１４    板体
１５    ツマミ
１６    スベリ止め突起
１７    半円孔
１８    ツマミ
１９    開閉板
２０    グランド状丸印
２１    延長板
２１ａ  フラット部
２１ｂ  当接部
１００  遊技台における簡易台間エア−カ−テン
【図１】
0003118324.tif 000003
【図２】
0003118324.tif 000004
【図３】
0003118324.tif 000005
【図４】
0003118324.tif 000006
【図５】
0003118324.tif 000007
【図６】
0003118324.tif 000008
【図７】
0003118324.tif 000009
【図８】
0003118324.tif 000010
【図９】
0003118324.tif 000011
【手続補正書】
【提出日】平成17年11月22日(2005.11.22)
【手続補正１】
【補正対象書類名】実用新案登録請求の範囲
【補正対象項目名】請求項３
【補正方法】変更
【補正の内容】
【請求項３】
前記スリット状開口部は、夫々が同一形状又は異なる形状のものからなることを特徴とする請求項１又は２に記載の遊技台における簡易台間エアーカーテン形成装置。
【手続補正２】
【補正対象書類名】実用新案登録請求の範囲
【補正対象項目名】請求項４
【補正方法】変更
【補正の内容】
【請求項４】
前記スリット状開口部の間隔が、同一又は異なる形状のものからなることを特徴とする請求項１乃至３のいずれかに記載の遊技台における簡易台間エアーカーテン形成装置。
【手続補正３】
【補正対象書類名】明細書
【補正対象項目名】０００８
【補正方法】変更
【補正の内容】
【０００８】
また、請求項３の考案は、前記スリット状開口部は、夫々が同一形状又は異なる形状のものからなることを特徴とする。
【手続補正４】
【補正対象書類名】明細書
【補正対象項目名】０００９
【補正方法】変更
【補正の内容】
【０００９】
また、請求項４の考案は、前記スリット状開口部の間隔が、同一又は異なる形状のものからなることを特徴とする。